(57)【要約】【課題】冷凍サイクルに設けられた中空状部品の肉厚を薄くして軽量化を達成し、ひいてはコストダウンを図ることのできる中空状部品を有する冷凍サイクル装置の製造方法を提供すること。【解決手段】冷凍サイクル装置を構成するマフラ、アキュムレータ等の中空状部品を作製するに際し、円筒状部材を所定の長さに切断し、円筒状部材の両端を加工して円筒状部材の直径より小さい直径の両端部を有する中空状部品を作製した。また、中空状部品の両端部と接続配管を接合するに際し、中空状部品の胴部および両端部を冷却しながら接合するようにして、円筒状部材の材料強度を低下させないようにした。【選択図】図１
2010085064.tif 000002
【特許請求の範囲】
【請求項１】
中空状部品を有する機械装置の製造方法であって、
円筒状部材を所定の長さに切断し、該円筒状部材の両端を加工して円筒状部材の直径より小さい直径の両端部を有する中空状部品を作製し、該中空状部品の両端部と接続配管を接合するに際し、前記中空状部品の胴部および両端部を冷却しながら接合することを特徴とする中空状部品を有する機械装置の製造方法。
【請求項２】
前記円筒状部材として、銅、銅合金、アルミニウム、及びアルミニウム合金のいずれかの金属を使用し、前記中空状部品の胴部および両端部を引張強度の変曲点より低い温度に保持してロー付けすることを特徴とする請求項１に記載の中空状部品を有する機械装置の製造方法。
【請求項３】
前記金属として銅あるいは銅合金を使用し、前記中空状部品の胴部および両端部を約３００℃以下に保持してロー付けすることを特徴とする請求項２に記載の中空状部品を有する機械装置の製造方法。
【請求項４】
前記金属としてアルミニウムあるいはアルミニウム合金を使用し、前記中空状部品の胴部および両端部を約２００℃以下に保持してロー付けすることを特徴とする請求項２に記載の中空状部品を有する機械装置の製造方法。
【請求項５】
前記中空状部品の胴部および両端部を空気あるいは水で直接冷却することを特徴とする請求項１乃至４のいずれか１項に記載の中空状部品を有する機械装置の製造方法。
【請求項６】
前記中空状部品の胴部および両端部を引張強度の変曲点以上の高い引張強度を維持できる温度にする冷却装置を具備してなる治具で保持しながら冷却することを特徴とする請求項１乃至４のいずれか１項に記載の中空状部品を有する機械装置の製造方法。
【請求項７】
前記中空状部品が、冷凍サイクル装置の圧縮機の冷媒吸入側に取り付けられるアキュムレータとストレーナ、圧縮機の冷媒吐出側に取り付けられるマフラとオイルセパレータ、冷媒配管中に取り付けられるドライヤのいずれかであることを特徴とする請求項１乃至６のいずれか１項に記載の中空状部品を有する機械装置の製造方法。
【請求項８】
前記円筒状部材の両端にへら絞り加工あるいはプレス加工を施して前記中空状部品を作製することを特徴とする請求項１乃至７のいずれか１項に記載の中空状部品を有する機械装置の製造方法。
【請求項９】
請求項１乃至８のいずれか１項に記載の中空状部品を有する機械装置の製造方法で製造した冷凍サイクル装置。
【発明の詳細な説明】
【技術分野】
【０００１】
本発明は、マフラ、アキュムレータ等の中空状部品を有する機械装置の製造方法に関する。
【背景技術】
【０００２】
機械装置として、空気調和機の冷凍サイクル装置を例に取り説明する。
従来の空気調和機は、一般的に冷媒配管を介して接続された室内機と室外機とを備えており、室外機には、通常圧縮機と四方弁と減圧器と熱交換器とが設けられ、室内機には、熱交換器が設けられている。また、冷凍サイクルの構成部品として、圧縮機の冷媒吸入側にはアキュムレータが設けられ、冷媒吐出側にはマフラが設けられている（例えば、特許文献１あるいは２参照。）。
【０００３】
【特許文献１】特開昭６２−９１５４号公報（図１）
【特許文献２】特開平９−１３８０２６号公報（図２）
【発明の開示】
【発明が解決しようとする課題】
【０００４】
マフラやアキュムレータ等の中空状部品には、これまでＪＩＳ  Ｈ  ３１００に規定されているＣ１２２０−Ｈ材（りん脱酸銅）が使用される場合が多く、この材料は、引張り強度が高く、展延性、絞り加工性、溶接性、耐食性、耐候性に優れている。
【０００５】
このような性質を利用して、Ｃ１２２０−Ｈ材の銅管を所定の長さに切断し、その両端に絞り加工（ダイス絞り）を施して所望の形状のマフラやアキュームレータ等の中空状部品を作製し、冷媒配管にそれらをロー付けして冷凍サイクルを構成している。
【０００６】
しかしながら、この両端部にダイスを強く当てて形状変更加工をする際に摩擦熱が発生し、Ｃ１２２０−Ｈ材の素材密度が拡大して引張り強度が低下してしまう。また、通常、ロー付けでロー付け部の温度が約８００℃程度まで加熱され、中空状部品の胴部の温度も高温になるために材料が焼きなまされ、材料の強度が著しく低下する等の課題があり、材料の肉厚をある程度厚くせざるを得なかった。
【０００７】
最近では、金属製部品の原材料費が高騰しており、銅管についても例外ではないことから、省資源化のためにマフラやアキュムレータ等の中空状部品の材料削減、薄肉化、軽量化が望まれている。
【０００８】
本発明は、従来技術の有するこのような問題点に鑑みてなされたものであり、機械装置に設けられた中空状部品の肉厚を薄くして軽量化を達成し、ひいてはコストダウンを図ることのできる中空状部品を有する機械装置の製造方法を提供することを目的としている。
【課題を解決するための手段】
【０００９】
上記目的を達成するために、本発明のうちで請求項１に係る発明は、中空状部品を有する機械装置の製造方法であって、円筒状の金属部材を所定の長さに切断し、該円筒状部材の両端を加工して円筒状部材の直径より小さい直径の両端部を有する中空状部品を作製し、該中空状部品の両端部と接続配管を接合するに際し、前記中空状部品の胴部および両端部を冷却しながら接合することを特徴とする。
【００１０】
また、請求項２に係る発明は、前記円筒状部材として、銅、銅合金、アルミニウム、及びアルミニウム合金のいずれかの金属を使用し、前記中空状部品の胴部および両端部を引張強度の変曲点より低い温度に保持してロー付けすることを特徴とする。
【００１１】
さらに、請求項３に係る発明は、前記金属として銅あるいは銅合金を使用し、前記中空状部品の胴部および両端部を約３００℃以下に保持してロー付けすることを特徴とする。
【００１２】
また、請求項４に係る発明は、前記金属としてアルミニウムあるいはアルミニウム合金を使用し、前記中空状部品の胴部および両端部を約２００℃以下に保持してロー付けすることを特徴とする。
【００１３】
また、請求項５に係る発明は、前記中空状部品の胴部および両端部を空気あるいは水で直接冷却することを特徴とする。
【００１４】
また、請求項６に係る発明は、前記中空状部品の胴部および両端部を引張強度の変曲点以上の高い引張強度を維持できる温度にする冷却装置を具備してなる治具で保持しながら冷却することを特徴とする。
【００１５】
また、請求項７に係る発明は、前記中空状部品が、冷凍サイクル装置の圧縮機の冷媒吸入側に取り付けられるアキュムレータとストレーナ、圧縮機の冷媒吐出側に取り付けられるマフラとオイルセパレータ、冷媒配管中に取り付けられるドライヤのいずれかであることを特徴とする。
【００１６】
また、請求項８に係る発明は、前記円筒状部材の両端にへら絞り加工あるいはプレス加工を施して前記中空状部品を作製することを特徴とする。
【００１７】
また、請求項９に係る発明は、請求項１乃至８のいずれか１項に記載の中空状部品を有する機械装置の製造方法で製造した冷凍サイクル装置である。
【発明の効果】
【００１８】
本発明によれば、所定の長さの円筒状部材の両端を加工して中空状部品を作製し、中空状部品の胴部および両端部を冷却しながら接続配管に接合するようにしたので、円筒状部材の材料強度が低下することがなく、中空状部品の肉厚を薄くして使用材料の削減を可能にするとともに、軽量化を達成しコストダウンを図ることができる。
【００１９】
また、円筒状部材の両端に、発熱が比較的少ないへら絞り加工を施して中空状部品を作製するようにしたので、円筒状部材の材料の強度低下を抑制することができる。
【発明を実施するための最良の形態】
【００２０】
以下、本発明の実施の形態について、図面を参照しながら説明する。
空気調和機等の冷凍サイクルは、室外機に設けられた圧縮機と四方弁と減圧器と熱交換器と、室内機に設けられた熱交換器を冷媒配管で接続して構成されている。また、圧縮機の冷媒吸入側には、冷凍サイクルの作動中に低圧側に流れる冷媒のガスと液体を分離してガスのみを圧縮機に送出するとともに冷凍サイクルの作動が停止した場合に大量に流れ込む液冷媒を貯留するためのアキュムレータが設けられ、冷媒吐出側には、圧縮機から吐出される冷媒の脈動を抑制して消音するためのマフラが設けられている。
【００２１】
マフラ、アキュムレータ等の中空状部品は、例えば銅管あるいは銅合金管等の円筒状部材を加工して作製される。銅管としては、例えばＣ１２２０−Ｈ材等が使用され、銅合金管としては、固溶強化型耐熱合金、析出硬化型耐熱合金等が使用される。上述したように、Ｃ１２２０−Ｈ材はＪＩＳ  Ｈ  ３１００に規定されており、銅合金材は、Ｓｎの固溶強化による耐熱強度を向上した材料や、Ｃｏの析出硬化による耐熱強度を向上した材料などが知られている。
【００２２】
図１は、冷凍サイクル装置に設けられた中空状部品の１例としてのマフラＭを示している。図１に示されるように、このマフラＭは、所定の長さの円筒状部材に絞り加工等を施して、大径部（胴部）２と、大径部２の両側に設けられた半球状の絞り部（胴部）４と、絞り部４に連なる小径部６とを有する形状に加工され、小径部６は接続配管８に接続される。
【００２３】
図２は、０．０２５質量％のりんを含むりん脱酸銅と、０．０２９質量％のりんと、０．６７質量％の錫を含む銅合金の焼鈍温度に対する引張強さ（引張強さの軟化特性）を示しており、引張試験はＪＩＳ  Ｚ  ２２４１に準拠して行った。
【００２４】
図２のグラフに示されるように、これらの材料は、所定の焼鈍温度（約３００℃）までは引張強さが漸減し、所定の焼鈍温度を超える温度では、銅合金は引張強さが急激に減少するのに対し、りん脱酸銅はさらに漸減する性質がある。
【００２５】
本発明は、この特性に着目してなされたもので、マフラＭの両端に設けられた小径部６を接続配管８に接続するに際し、マフラＭの温度をマフラ材料の引張強さが急激に減少しない温度に抑えて接続するようにしている。
【００２６】
さらに詳述すると、本発明においては、所定の肉厚を有する銅管あるいは銅合金管を所定の長さに切断し、その両端に発熱が比較的少ないへら絞り加工あるいはプレス加工を施して塑性変形させることで図１に示されるマフラＭを作製し、次に接続配管８を小径部６に挿入して、マフラＭ（胴部２，４及び小径部６）を空気あるいは水等の冷却媒体で直接冷却しながら、あるいは、前記マフラＭを引張強度の変曲点以上の高い引張強度を維持できる温度にする冷却装置を具備してなる治具で保持または冷却しながら、ロー付けにより接合している。
【実施例１】
【００２７】
マフラ材料として、直径が３０ｍｍのＣ１２２０−Ｈ材を採用し、従来の方法と本発明に係る方法を使用してマフラＭを接続配管８にロー付けしたところ、表１のような結果が得られた。なお、本発明による改良品は、接続配管８との接続時、マフラＭを直接水で冷却することにより、あるいは、前記マフラＭを引張強度の変曲点以下に維持できる冷却装置を具備してなる治具で保持しながら冷却することによりその温度を約３００℃以下に抑えている。
【００２８】
【表１】
2010085064.tif 000003
【００２９】
表１から明らかなように、従来品は本発明による改良品に比べ、肉厚が厚いにもかかわらず破壊圧力は低下しているのが分かる。すなわち、従来品の場合、小径部６と接続配管８とのロー付け時の温度はマフラＭと接続配管８の材料の融点近く（例えば、約８００℃）にまで上昇するが、図２のグラフから分かるように、このような高温では、材料の引張強さはかなり低下することになるので、マフラＭの肉厚を厚くすることで所定の強度（最大内圧の３倍の圧力に耐えうる強度）を維持するようにしている。
【００３０】
なお、マフラ材料として、銅あるいは銅合金に代えて、アルミニウムあるいはアルミニウム合金を使用することもできる。
【００３１】
図３は、アルミニウム合金（１１００系）の焼鈍温度に対する耐力及び引張強さ（軟化特性）を示しており、図３から分かるように、アルミニウム合金の場合は、耐力及び引張強さは、約２００℃を超えると約２７０℃まで急激に減少し、約２７０℃を超えると漸減する。
【００３２】
したがって、アルミニウム合金を使用した場合、接続配管８との接続時、マフラＭを冷却することによりその温度を約２００℃以下に抑えることにより強度低下を抑制することができる。ただし、銅あるいは銅合金に比べ、アルミニウム合金は、強度が低いので、銅あるいは銅合金製マフラの肉厚より厚く（例えば、約１．４倍）する必要がある。
【００３３】
なお、アルミニウム合金のロー付けの場合、ロー材が溶ける温度が約５５０℃で、母材の溶融温度に近いので、ロー付け時マフラＭを冷却することで、母材を溶かさずにロー付けを行うことができ、ロー付けの容易性の点でも有効である。
【００３４】
以上、本発明に係る冷凍サイクル装置の製造方法について、中空状部品としてマフラあるいはアキュムレータを例に取り説明したが、本発明は、マフラあるいはアキュムレータのみならず、圧縮機と凝縮器との間に設置され圧縮機から吐出された冷媒中の冷凍機油を分離除去するためのオイルセパレータ（油分離器）や、圧縮機の吸込口に設置され冷媒中のゴミや金属片を除去するためのストレーナ（フィルタ）や、冷媒配管に設置され冷媒中の水分を除去するためのドライヤ等にも適用できるものである。
【００３５】
また、上記実施の形態において、室外機と室内機を冷媒配管を介して接続した空気調和機を例にとり説明したが、本発明は、この構成の空気調和機に限定されるものではなく、室外機と室内機を一体化した屋外設置の空気調和機等、中空状部品を有する冷凍サイクル装置であれば、どのような装置にも適用可能である。
【産業上の利用可能性】
【００３６】
本発明に係る冷凍サイクル装置の製造方法は、冷凍サイクルを構成する中空状部品の肉厚を薄くして軽量化を達成し、ひいてはコストダウンを図ることができるので、空気調和機を含む様々な冷凍サイクル装置の製造装置として有用である。
【図面の簡単な説明】
【００３７】
【図１】冷凍サイクルを構成するマフラの断面図
【図２】りん脱酸銅と銅合金の焼鈍温度に対する引張強さを示すグラフ
【図３】アルミニウム合金の焼鈍温度に対する耐力及び引張強さを示すグラフ
【符号の説明】
【００３８】
２  大径部
４  絞り部
６  小径部
８  接続配管
Ｍ  マフラ
【図１】
2010085064.tif 000004
【図２】
2010085064.tif 000005
【図３】
2010085064.tif 000006